(57)【要約】【課題】水栓本体部の一箇所に複数の回動操作体を有して配設され、操作性が良い操作装置および水栓を提供する。【解決手段】操作装置１１０は、弁装置を有する水栓本体部９０の一箇所に配設され、複数の回動操作体を有して弁装置を操作する。複数の回動操作体は、吐水温度を調節するための温調操作体１１１を含む。温調操作体１１１は、水栓本体部９０から最も離れた外側に配設されている。【選択図】図１
2019173516.tif 000002
【特許請求の範囲】
【請求項１】
弁装置を有する水栓本体部の一箇所に配設され、複数の回動操作体を有して前記弁装置を操作するための操作装置であって、
複数の前記回動操作体は、吐水温度を調節するための温調操作体を含み、
前記温調操作体は、前記水栓本体部から最も離れた外側に配設されていることを特徴とする操作装置。
【請求項２】
複数の前記回動操作体は、吐水流量を調節するための流調操作体、および吐水路を切り替えるための流路切替操作体を含み、
前記流調操作体は、前記温調操作体の前記水栓本体部の側に配設されており、
前記流路切替操作体は、前記流調操作体の前記水栓本体部の側に配設されていることを特徴とする請求項１に記載の操作装置。
【請求項３】
弁装置を有する水栓本体部の一箇所に配設され、複数の回動操作体を有して前記弁装置を操作するための操作装置であって、
複数の前記回動操作体は、吐水路を切り替えるための流路切替操作体を含み、
前記流路切替操作体は、前記水栓本体部に最も近い内側に配設されていることを特徴とする操作装置。
【請求項４】
吐水または止水するためのプッシュ式の止水操作体を有し、
前記止水操作体の操作状態に拠らずに、複数の前記回動操作体が回動可能であることを特徴とする請求項１から３のいずれか１項に記載の操作装置。
【請求項５】
請求項１から４のいずれか１項に記載の操作装置と、
前記操作装置が配設された水栓本体部と、を備えることを特徴とする水栓。
【発明の詳細な説明】
【技術分野】
【０００１】
本発明は、水栓に用いる操作装置、および水栓に関する。
【背景技術】
【０００２】
例えば特許文献１には、第１吐水部および第２吐水部を有する水栓本体部と、水栓本体部に回動可能に取り付けられる操作ハンドルとを備える水栓が記載されている。操作ハンドルは、切替ハンドルおよび温度調節ハンドルであり、水栓本体部の右側に切替ハンドルを左側に温度調節ハンドルが配設されている。
【先行技術文献】
【特許文献】
【０００３】
【特許文献１】特開２０１７−１８００６１号公報
【発明の概要】
【発明が解決しようとする課題】
【０００４】
特許文献１に記載の水栓は、水栓本体部の左右に操作ハンドルが配設されているため、ユーザは水栓を操作して、吐水部を切り替え、吐水温度を調節する際に、水栓本体部の左右に配設された操作ハンドルに対して手を伸ばす手間がかかっていた。
【０００５】
本発明は、斯かる事情に鑑みてなされたものであり、その目的とするところは、水栓本体部の一箇所に複数の回動操作体を有して配設され、操作性が良い操作装置および水栓を提供することにある。
【課題を解決するための手段】
【０００６】
本発明に係る操作装置は、弁装置を有する水栓本体部の一箇所に配設され、複数の回動操作体を有して前記弁装置を操作するための操作装置であって、複数の前記回動操作体は、吐水温度を調節するための温調操作体を含み、前記温調操作体は、前記水栓本体部から最も離れた外側に配設されている。
【発明の効果】
【０００７】
本発明によれば、操作装置は、水栓本体部の一箇所に複数の回動操作体を有して配設され、操作性が良い。
【図面の簡単な説明】
【０００８】
【図１】実施形態１に係る操作装置を含む水栓の構成を示す模式図である。
【図２】実施形態１に係る弁装置の外観を示す斜視図である。
【図３】弁装置の上面図である。
【図４】図３に示すＡ−Ａ線による弁装置の断面図である。
【図５】図３に示すＢ−Ｂ線による弁装置の断面図である。
【図６】貫通孔付近の制御軸の部分を拡大した断面図である。
【図７】流路の切替について説明するための模式図である。
【図８】実施形態２に係る操作装置を含む水栓の構成を示す模式図である。
【図９】実施形態２に係る弁装置の外観を示す斜視図である。
【図１０】弁装置の上面図である。
【図１１】図１０に示すＣ−Ｃ線による弁装置の断面図である。
【図１２】図１２（ａ）〜図１２（ｃ）は変形例に係る操作装置における回動操作体の並びを説明するための模式図である。
【図１３】図１３（ａ）〜図１３（ｃ）は別の変形例に係る操作装置における回動操作体の並びを説明するための模式図である。
【図１４】図１４（ａ）および図１４（ｂ）は別の変形例に係る操作装置における回動操作体の並びを説明するための模式図である。
【図１５】図１５（ａ）および図１５（ｂ）は変形例に係る操作装置の形状を説明するための模式図である。
【発明を実施するための形態】
【０００９】
以下、本発明を好適な実施形態をもとに図１から図１５を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１０】
（実施形態１）
図１は、実施形態１に係る水栓１２０の構成を示す模式図である。水栓１２０は、水栓本体部９０、弁装置１００（図２参照）及び操作装置１１０を備える。水栓本体部９０は、第１吐水部９１および第２吐水部９２を有する。第１吐水部９１は例えばカランであり、第２吐水部９２はシャワーユニットである。水栓本体部９０は、接続された水供給管９３ａおよび湯供給管９３ｂから水および湯が供給され、装着された弁装置１００によって、吐水路の切り替え、吐水温度の調節、吐水流量の調節が行われる。
【００１１】
操作装置１１０は、水栓本体部９０の外面における一箇所に設けられており、円筒状の複数の回動操作体を有している。また操作装置１１０はプッシュ操作体を有していてもよい。図１に示す操作装置１１０は、回動操作体として、温調操作体１１１、流調操作体１１２および流路切替操作体１１３を有し、プッシュ操作体として止水操作体１１４を有している。温調操作体１１１、流調操作体１１２および流路切替操作体１１３は、同一の軸線まわりに回動可能に設けられている。
【００１２】
温調操作体１１１は、回動操作体のうち水栓本体部９０から最も離れた外側に配設されており、後述する弁装置１００の温度調節部４に操作力を与えて吐水温度を調節する。流調操作体１１２は、温調操作体１１１の水栓本体部９０側に配設されており、後述する弁装置１００の流量調節部５に操作力を与えて吐水流量を調節する。流路切替操作体１１３は、流調操作体１１２の水栓本体部９０側であって水栓本体部９０に最も近い内側に配設されており、後述する弁装置１００の流路切替部７に操作力を与えて吐水路を切り替える。止水操作体１１４は、温調操作体１１１の外側に設けられており、後述する止水部６に操作力を与えて吐水および止水を切り替える。操作装置１１０はユーザが一箇所で複数の操作をすることができ、温調操作体１１１が水栓本体部９０から最も離れた外側に配設されているので、吐水温度の細かな調節がし易く操作性が良い。
【００１３】
図２は実施形態１に係る弁装置１００の外観を示す斜視図であり、図３は弁装置１００の上面図である。弁装置１００は、円筒状であり、軸線まわりに回動可能な、温調操作部４０、流調操作部５３および流路切替操作部７０が設けられている。また弁装置１００は、軸方向に移動可能な止水操作部６０が設けられている。温調操作部４０には温調操作体１１１が取り付けられ、流調操作部５３には流調操作体１１２が取り付けられ、流路切替操作部７０には流路切替操作体１１３が取り付けられ、止水操作部６０には止水操作体１１４が取り付けられる。
【００１４】
弁装置１００は、円筒状のハウジング１０の側面に水側流入口１１ａおよび湯側流入口１２ａを有している。ハウジング１０には、水側流入口１１ａからハウジング１０の内部に延びる水側流入路１１、および湯側流入口１２ａからハウジング１０の内部に延びる湯側流入路１２が設けられている。水側流入口１１ａおよび湯側流入口１２ａは、水供給管９３ａおよび湯供給管９３ｂに接続される。ハウジング１０の内部には吐水路１３が設けられており、下部の側面に吐水口１３ａが形成されている。
【００１５】
温調操作部４０および流調操作部５３は、ハウジング１０に対して相対的に回動させることができる。流路切替操作部７０は、ハウジング１０に固定されており、ハウジング１０とともに回動させることができる。弁装置１００は、温調操作部４０を回動させることによって吐水温度を調節し、流調操作部５３を回動させることによって吐水流量を調節する。弁装置１００は、流路切替操作部７０をハウジング１０とともに回動させることによって、吐水路１３を接続する流路を切り替える。また弁装置１００は、止水操作部６０をプッシュ操作によって、軸方向に移動させることによって、吐水または止水を切り替える。
【００１６】
図４は図３に示すＡ−Ａ線による弁装置１００の断面図であり、図５は図３に示すＢ−Ｂ線による弁装置１００の断面図である。弁装置１００は、ハウジング１０、温度調節部４、流量調節部５、止水部６および流路切替部７を備える。ハウジング１０は円筒状であり、中央の筒孔部分により吐水路１３が形成されている。吐水路１３の底部における側面には、吐水口１３ａが設けられている。水側流入路１１および湯側流入路１２は、ハウジング１０の軸方向の中途部に、軸方向に間隔を空けて設けられており、半径方向に延びてハウジング１０の周側部を内外に貫通する。ハウジング１０の外周面には、水側流入路１１の水側流入口１１ａおよび湯側流入路１２の湯側流入口１２ａが形成される。水側流入口１１ａおよび湯側流入口１２ａは、ハウジング１０の外周面において円弧状に設けられている。
【００１７】
温度調節部４は、一端が温調操作部４０となる制御軸３、回動部４１および温調弁部４２を備える。制御軸３は、細長い棒状であり、ハウジング１０の軸線上に設けられている。制御軸３は、ハウジング１０の底部から、弁装置１００全体の上部に突き出すように延びている。回動部４１は、円筒状であり、筒内部に挿通された制御軸３との間で回転が拘束されており、制御軸３と一体的に軸線まわりに回動する。回動部４１の筒内部は、軸方向に貫通しており、吐水路１３の一部となっている。回動部４１の外周面には雄ねじが形成されている。
【００１８】
温調弁部４２は、円環板状であり、内周面に形成された雌ねじが回動部４１の外周面に形成された雄ねじに螺合している。温調弁部４２は、上端面４２ａが水側流入路１１に連続する水側弁座１４ａに対向し、下端面４２ｂが湯側流入路１２に連続する湯側弁座１４ｂに対向するように設けられている。温調弁部４２は、軸方向に貫通する貫通孔４２ｃを有し、湯側流入路１２から貫通孔を通って湯が流れる。
【００１９】
貫通孔４２ｃにはハウジング１０から延びるガイド軸１４ｃが挿通されており、ガイド軸１４ｃによって温調弁部４２の軸線まわりの回転が拘束されている。このため、温調弁部４２は、制御軸３および回動部４１の回動によって軸方向に移動する。温調弁部４２が軸方向に移動することで、上端面４２ａが水側弁座１４ａに対して、下端面４２ｂが湯側弁座１４ｂに対して接近および離間し、水側流入路１１および湯側流入路１２の開度が変化して、水および湯の混合比が変化する。
【００２０】
温調弁部４２の外周面４２ｄには、対向するハウジング１０の内周面との間にパッキンが設けられており、水側流入路１１および湯側流入路１２が連通しないように封じられている。
【００２１】
流量調節部５は、胴体部５１、流調弁部５２および流調操作部５３を有する。胴体部５１は、外側に外筒部５１ａを有し、外筒部５１ａの内側に内筒部５１ｂを有する。外筒部５１ａと内筒部５１ｂの間には流入路５１ｃが形成されており、水側流入路１１および湯側流入路１２からの水および湯が流入路５１ｃに流れ込む。内筒部５１ｂの内側は、吐水路１３の一部となっている。内筒部５１ｂの上端部は弁座５１ｄとなっている。
【００２２】
流調弁部５２は、主弁２０および内蓋２４を備える。主弁２０は、硬質の主弁本体２１、主弁本体２１に保持されたゴム製のダイアフラム２２、および小孔２３を備える。主弁本体２１は円板状であり、中央に制御軸３を挿通する貫通孔２１ａを有する。ダイアフラム２２は、周縁部が胴体部５１の外筒部５１ａに嵌め合わされており、内蓋２４の周縁部の底面によって押圧するようにして胴体部５１の内部に取り付けられる。内蓋２４は、皿状であり、底部２４ａの内側であって、主弁２０の背面側に背圧室２４ｂを画成する。内蓋２４の底部２４ａの中央部には、制御軸３を挿通する貫通孔が設けられている。小孔２３は、主弁本体２１およびダイアフラム２２を貫通するように設けられており、流入路５１ｃと背圧室２４ｂとを連通する。
【００２３】
制御軸３は、上述のように主弁本体２１の中央に設けた貫通孔２１ａに挿入されている。貫通孔２１ａの内周面に設けた環状溝にシールリング２５が保持されている。貫通孔２１ａに連続するように吐水路１３へ連通するパイロット流路２６が形成されている。
【００２４】
図６は、貫通孔２１ａ付近の制御軸３の部分を拡大した断面図である。制御軸３は、シールリング２５に接触する外径を有するシール部３０ａと、シールリング２５の内径より小さい外径を有する環状の凹所３０ｂを有する。凹所３０ｂの軸方向における端部は、底部からシール部３０ａへ拡幅するテーパ面３０ｃとしてある。
【００２５】
図４、図５および図６に示す制御軸３は、シール部３０ａがシールリング２５に接触することで、背圧室２４ｂからパイロット流路２６へ水が流れない状態となる。このとき、小孔２３を通して背圧室２４ｂに水が流れ込んで背圧室２４ｂの水圧が上昇し、主弁２０が弁座５１ｄに接触して止水状態となる。制御軸３を軸方向に上昇させ、シールリング２５に凹所３０ｂまたはテーパ面３０ｃを対向させるようにすると、背圧室２４ｂからパイロット流路２６へ水が流れて背圧室２４ｂの水圧が低下し、主弁２０が弁座５１ｄから離れて、流入路５１ｃから吐水路１３へ水が流れる。制御軸３を軸方向に上昇させる程度に応じて主弁２０が弁座５１ｄから離間する距離が変化し、吐水流量が調節される。
【００２６】
流調操作部５３は円筒状であり、流路切替操作部７０に内挿されて温調操作部４０と同軸まわりに回動可能に支持されている。流調操作部５３の内側には、止水操作部６０が嵌め合わされている。止水操作部６０は円筒状であり、流調操作部５３に回転拘束されており、軸方向に移動可能に支持されている。止水操作部６０の内側には、駆動部５４が嵌め合わされており、流調操作部５３および止水操作部６０とともに軸線まわりに回動する。
【００２７】
駆動部５４の内周面には雌ねじが形成されており、該雌ねじに螺合する雄ねじが形成された可動部３５が制御軸３の端部に配設されている。可動部３５は、円柱の周面における対向する両側部を平坦状に切除した形状であり、平坦面がガイド板５５に接触して回転拘束され、雄ねじ部分が駆動部５４の雌ねじに螺合し、駆動部５４の回動によって軸方向に直動する。ガイド板５５は、ハウジング１０側に固定的に設けられる。
【００２８】
流量調節部５は、流調操作部５３の回動操作によって、可動部３５が直動して制御軸３が軸方向に移動し、流調弁部５２が開閉するように機能する。流量調節部５は、制御軸３の軸方向位置によって、流調弁部５２の開度が定まり、吐水路１３へ流れる吐水流量を調節する。
【００２９】
止水部６は、止水操作部６０およびカム部６１を有するとともに、上述の流調弁部５２を流量調節部５と共通の要素として有する。止水操作部６０がプッシュ操作によって押圧されて、制御軸３を軸方向に吐水路１３側に押し込んだ止水状態となる。この止水状態において流調操作部５３を回動させても止水状態が維持される。カム部６１は、流調操作部５３の内側面に形成されたカム６１ａ、従動カム６１ｂおよび切換カム６１ｃを有する。カム６１ａは、制御軸３を吐水路１３側へ押し込んで止水する止水位置と、止水位置から引き込んで吐水する吐水位置を有する。
【００３０】
止水操作部６０に設けた従動カム６１ｂは、スプリング等による復元力によってカム６１ａに押圧されて接触しており、止水操作部６０を押す操作によってカム６１ａの吐水位置から止水位置に移動する。従動カム６１ｂは、止水操作部６０を更に押し込む操作によって、切換カム６１ｃによって位置が切り替わり、止水位置から吐水位置に移動する。尚、実施形態に係る弁装置１００は、カム部６１が吐水位置にあるときにも、制御軸３の軸方向位置によって流調弁部５２を閉状態にして止水することができる。また、止水部６が止水状態または吐水状態のいずれの場合にも、温度調節部４の温調操作部４０、流量調節部５の流調操作部５３、および流路切替部７の流路切替操作部７０は回動可能である。
【００３１】
流路切替部７は、流路切替操作部７０および切替弁部７１によって構成されている。切替弁部７１は、ハウジング１０の下部として形成されており、上述のとおり側面に吐水口１３ａが設けられている。切替弁部７１は、温調弁部４２および流調弁部５２の下流側に設けられている。図７は、流路の切替について説明するための模式図である。図７は、吐水口１３ａを含む切替弁部７１の軸線方向に直交する断面を表している。ハウジング１０内には吐水路１３が形成されており、吐水路１３の下流側に切替弁部７１が設けられている。
【００３２】
吐水口１３ａは、吐水路１３の下流側に設けられ、切替弁部７１の側面に表われている。流路切替操作部７０は、ハウジング１０の下部の切替弁部７１と一体的に回動し、吐水口１３ａの位置を切り替えることができる。流路切替部７は、流路切替操作部７０の回動操作によって、吐水路１３を接続する流路を図７に示す流路９１ａまたは流路９２ａに切り替える。尚、流路９１ａは第１吐水部９１内の流路に連通し、流路９２ａは第２吐水部９２内の流路に連通する。
【００３３】
次に、実施形態１に係る操作装置１１０および水栓１２０の動作について説明する。温調操作体１１１を回動させることによって、弁装置１００における温度調節部４の温調操作部４０、制御軸３および回動部４１が回動し、温調弁部４２が軸方向に移動する。温調弁部４２が軸方向に移動することによって、温調弁部４２の上端面４２ａが水側弁座１４ａに、下端面４２ｂが湯側弁座１４ｂに接近または離間する。温度調節部４は、温調弁部４２が水側弁座１４ａおよび湯側弁座１４ｂに接近または離間させることによって、水側流入口１１ａおよび湯側流入口１２ａから流入する水および湯の混合比を変化させ、吐水温度を調節する。
【００３４】
流調操作体１１２を回動させることによって、弁装置１００における流量調節部５の流調操作部５３が回動し、制御軸３を軸方向に移動させる。制御軸３の移動位置に応じて背圧室２４ｂがパイロット流路２６に連通して生じるパイロット流を利用して流調弁部５２を可動する。流量調節部５は、制御軸３の移動位置に対応して流調弁部５２の開度が定まり、吐水路１３へ通流する吐水流量を調節する。流調弁部５２は、流調操作部５３の手動によって直接的に操作しなくて済み、パイロット流を利用して可動されるので、流調操作部５３における操作荷重を軽減することができる。
【００３５】
流路切替操作体１１３を回動させることによって、流路切替部７の流路切替操作部７０がハウジング１０の下部の切替弁部７１と一体的に回転し、切替弁部７１に設けた吐水口１３ａの位置を切り替え、吐水路１３を接続する流路を切り替える。切替弁部７１は、温調弁部４２および流調弁部５２の下流側に設けられているので、吐水路１３において水と湯が撹拌され、温度調節によって期待される温度により近い温度の水を吐水口１３ａから吐水することができる。
【００３６】
止水操作体１１４をプッシュ操作によって移動させることで、止水部６の止水操作部６０および制御軸３が軸方向に吐水路１３側へ押し込まれる。制御軸３が吐水路１３側へ押し込まれると、流調弁部５２の背圧室２４ｂがパイロット流路２６に連通されない止水状態となる。止水部６は、カム部６１によって、止水操作部６０を吐水位置または止水位置に保持する。
【００３７】
操作装置１１０は、ユーザが一箇所で複数の操作をすることができるとともに、温調操作体１１１が水栓本体部９０から最も離れた外側に配設されているので、吐水温度の細かな調節がし易く操作性が良い。
【００３８】
操作装置１１０は、流調操作体１１２が温調操作体１１１の水栓本体部９０側に、流路切替操作体１１３が流調操作体１１２の水栓本体部９０側に配設されているので、吐水温度の調節に次いで、吐水流量の細かな調節がし易く操作性が良い。
【００３９】
操作装置１１０は、流路切替操作体１１３が水栓本体部９０に最も近い内側に配設されているので、細かな調節を必要としない流路切替の操作を水栓本体部９０に最も近い位置で行うことができる。このため、操作装置１１０は、水栓本体部９０から離れた操作性が良い位置に、温調操作体１１１および流調操作体１１２を配設して吐水温度および吐水流量の調節をすることができる。
【００４０】
止水操作体１１４をプッシュ操作によって移動させることで、吐水状態または止水状態とすることができる。操作装置１１０は、吐水状態または止水状態に拠らず、温調操作体１１１、流調操作体１１２および流路切替操作体１１３を回動させることができる。これにより、操作装置１１０は、不用意に触れる動作によって予期せぬ吐水が生じることを防ぐとともに、無理に各回動操作体を回動させて構成部品の破損が生じることを防ぐことができる。また、プッシュ操作体である止水操作体１１４を、温調操作体１１１、流調操作体１１２および流路切替操作体１１３のいずれか１つと一体化して、１つの操作体で回動操作およびプッシュ操作が行えるようにしてもよい。この場合にも、回動操作およびプッシュ操作を兼ねる操作体のプッシュ操作による吐水状態または止水状態に拠らず、該操作体が露出していれば、該操作体に対する回動操作が可能であるようにしておくとよい。
【００４１】
弁装置１００は、温度調節部４による温度調節、流量調節部５による流量調節、および流路切替部７による流路切替の各機能を有して小型化することができ、水栓１２０の小型化が可能となる。また、水栓１２０は、弁装置１００に止水部６を設けることによって、プッシュ操作による吐止水を行うことができる。
【００４２】
弁装置１００において、吐水路１３は、温調弁部４２および流調弁部５２を設けた位置から軸方向の下方側に延びるように設けられている。切替弁部７１は、吐水路１３の下方側の先端部に設けられており、温調弁部４２および流調弁部５２と径方向に重ならないので、温調弁部４２および流調弁部５２に関わらず、構成し易くなっている。
【００４３】
また弁装置１００において、温度調節部４は、軸線まわりに回動する回動部４１に連動して温調弁部４２が可動する。流量調節部５は、回動部４１と同一の軸線まわりに回動する駆動部５４に連動して流調弁部５２が可動する。また、流路切替部７は、回動部４１と同一の軸線まわりに回動するハウジング１０に連動して一体的に切替弁部７１を可動する。温度調節部４、流量調節部５および流路切替部７における各操作が回動操作となり操作性が良い。回動部４１が回動する際に摩擦を生じる接触部は、回動部４１の外周面に設けた雄ねじ部分４１ａ（図５参照）である。また、駆動部５４が回動する際に摩擦を生じる接触部は、駆動部５４の内周面に設けた雌ねじ部分５４ａである。また、ハウジング１０が回動する際に摩擦を生じる接触部は、ハウジング１０の外周部分１０ａである。
【００４４】
ハウジング１０の外周部分１０ａが、回動部４１の雄ねじ部分４１ａおよび駆動部５４の雌ねじ部分５４ａよりも軸線から径方向に遠い外側の位置に形成されている。これにより、ハウジング１０の外周部分１０ａに生じる摩擦トルクを大きくすることができ、流路切替操作部７０の操作荷重を重くできる。回動部４１の雄ねじ部分４１ａおよび駆動部５４の雌ねじ部分５４ａが、ハウジング１０の外周部分１０ａよりも軸線から径方向に近い内側の位置に配置されるため、温調操作部４０および流調操作部５３の操作荷重を軽くすることができ、温度調節および流量調節の操作が容易になる。
【００４５】
温調弁部４２、流調弁部５２および切替弁部７１は、軸線の軸方向に重なるように設けられているので、軸線の径方向における弁装置１００および水栓１２０の寸法を小さくすることができる。また、温調弁部４２、流調弁部５２および切替弁部７１は、軸線の径方向に重なるように設けてもよく、この場合、軸線の軸方向における弁装置１００および水栓１２０の寸法を小さくすることができる。
【００４６】
（実施形態２）
図８は実施形態２に係る操作装置１１０を含む水栓１２０の構成を示す模式図である。水栓１２０は、例えばシャワーヘッドであるが、吐水路を切り替え、吐水流量を調節する形態のその他の水栓であってもよい。操作装置１１０は、水栓本体部９０の外面の一箇所に配設されており、複数の回動操作体として、流調操作体１１２および流路切替操作体１１３を有する。水栓本体部９０は、水または湯が供給され、装着された弁装置１００（図示略）によって吐水路の切り替え、吐水流量の調節が行われる。水栓本体部９０は、例えば内部に流路９１ａおよび流路９２ａを有しており、流路切替操作体１１３によって弁装置１００から吐水する流路が切り替えられる。水栓１２０が、シャワーヘッドである場合、例えば、流路９１ａおよび流路９２ａによってシャワー吐水に広狭が生じるようにする。
【００４７】
図９は実施形態２に係る弁装置１００の外観を示す斜視図であり、図１０は弁装置１００の上面図である。弁装置１００は、円筒状であり、軸線まわりに回動可能な、流調操作部５３および流路切替操作部７０が設けられている。流調操作部５３には流調操作体１１２が取り付けられ、流路切替操作部７０には流路切替操作体１１３が取り付けられる。この場合、操作装置１１０において、温調操作体１１１および止水操作体１１４は省略される。
【００４８】
弁装置１００は、円筒状のハウジング１０の側面に流入口１５ａを有し、流入口１５ａからハウジング１０の内部に延びる流入路１５が設けられ、流入口１５ａに水または湯が供給される。ハウジング１０の内部には吐水路１３が設けられており、下部の側面に吐水口１３ａが形成されている。
【００４９】
流調操作部５３は、ハウジング１０に対して相対的に回動させることができる。流路切替操作部７０は、ハウジング１０に固定されており、ハウジング１０とともに回動させることができる。弁装置１００は、流調操作部５３を回動させることによって吐水流量を調節し、流路切替操作部７０をハウジング１０とともに回動させることによって、吐水路１３を接続する流路を切り替える。
【００５０】
図１１は図１０に示すＣ−Ｃ線による弁装置１００の断面図である。弁装置１００は、ハウジング１０、流量調節部５および流路切替部７を備える。ハウジング１０は円筒状であり、中央の筒孔部分により吐水路１３が形成されている。吐水路１３の底部における側面には、吐水口１３ａが設けられている。流入路１５は、半径方向に延びてハウジング１０の周側部を内外に貫通し、ハウジング１０の外周面に流入口１５ａが形成される。ハウジング１０の内部には内筒部１６が設けられており、内筒部１６の外側に流入路１５が形成され、内側に吐水路１３が形成される。
【００５１】
流量調節部５は、流調弁部５２および流調操作部５３を有する。内筒部１６の上端部は弁座１６ａとなっている。流調弁部５２は、実施形態１と同様に、主弁２０および内蓋２４を備えて機能する。流調弁部５２の構成および動作は、以下に述べるほか実施形態１と同様であり、記載の簡潔のため説明を省略する。流調操作部５３は、実施形態１と同様に、その回動操作によって制御軸３が直動し、吐水流量を調節する。
【００５２】
流路切替部７は、実施形態１と同様に、流路切替操作部７０および切替弁部７１を備えて機能する。流路切替操作部７０は、ハウジング１０の下部の切替弁部７１と一体的に回動し、吐水口１３ａの位置を切り替えることができる。流路切替部７は、流路切替操作部７０の回動操作によって、吐水路１３を接続する流路を流路９１ａまたは流路９２ａに切り替える。
【００５３】
次に、実施形態２に係る操作装置１１０および水栓１２０の動作について説明する。流調操作体１１２を回動させることによって、弁装置１００における流量調節部５の流調操作部５３が回動し、制御軸３を軸方向に移動させる。流量調節部５は、制御軸３の移動位置に対応して流調弁部５２の開度が定まり、吐水路１３へ通流する吐水流量を調節する。
【００５４】
流路切替操作体１１３を回動させることによって、流路切替部７の流路切替操作部７０がハウジング１０の下部の切替弁部７１と一体的に回転し、切替弁部７１に設けた吐水口１３ａの位置を切り替え、吐水路１３を接続する流路を切り替える。
【００５５】
操作装置１１０は、ユーザが一箇所で複数の操作をすることができるとともに、流調操作体１１２による吐水流量の細かな調節がし易く操作性が良い。操作装置１１０は、流路切替操作体１１３が水栓本体部９０に近い内側に配設されているので、細かな調節を必要としない流路切替の操作を水栓本体部９０に最も近い位置で行うことができる。
【００５６】
弁装置１００は、流量調節部５による流量調節、および流路切替部７による流路切替の各機能を有して小型化することができ、水栓１２０の小型化が可能となる。
【００５７】
（変形例）
図１２（ａ）〜図１２（ｃ）は、変形例に係る操作装置１１０における回動操作体の並びを説明するための模式図である。図１２（ａ）では、操作装置１１０は、水栓本体部９０に近い側から流調操作体１１２、流路切替操作体１１３、温調操作体１１１の順に回動操作体が配設されている。図１２（ｂ）では、操作装置１１０は、流路切替操作体１１３を有さず、水栓本体部９０に近い側から流調操作体１１２、温調操作体１１１の順に回動操作体が配設されている。また、図１２（ｃ）では、操作装置１１０は、流調操作体１１２を有さず、水栓本体部９０に近い側から流路切替操作体１１３、温調操作体１１１の順に回動操作体が配設されている。
【００５８】
図１２（ａ）〜図１２（ｃ）に示す操作装置１１０は、いずれも回動操作体のうち温調操作体１１１が水栓本体部９０から最も離れた外側に配設されているので、吐水温度の細かな調節がし易く操作性が良い。
【００５９】
図１３（ａ）〜図１３（ｃ）は、別の変形例に係る操作装置１１０における回動操作体の並びを説明するための模式図である。図１３（ａ）では、操作装置１１０は、水栓本体部９０に近い側から流路切替操作体１１３、温調操作体１１１、流調操作体１１２の順に回動操作体が配設されている。図１３（ｂ）では、操作装置１１０は、温調操作体１１１を有さず、水栓本体部９０に近い側から流路切替操作体１１３、流調操作体１１２の順に回動操作体が配設されている。また、図１３（ｃ）では、操作装置１１０は、流調操作体１１２を有さず、水栓本体部９０に近い側から流路切替操作体１１３、温調操作体１１１の順に回動操作体が配設されている。尚、図１３（ｃ）に示す回動操作体の並びは、図８（ｃ）と同等であるが説明のため記載する。
【００６０】
図１３（ａ）〜図１３（ｃ）に示す操作装置１１０は、いずれも回動操作体のうち流路切替操作体１１３が水栓本体部９０に最も近い内側に配設されているので、細かな調節を必要としない流路切替の操作を水栓本体部９０に最も近い位置で行うことができる。このため、操作装置１１０は、水栓本体部９０から離れた操作性が良い位置に、温調操作体１１１および流調操作体１１２を配設して吐水温度および吐水流量の調節をすることができる。
【００６１】
図１４（ａ）および図１４（ｂ）は、別の変形例に係る操作装置１１０における回動操作体の並びを説明するための模式図である。図１４（ａ）では、操作装置１１０は、流路切替操作体１１３を有さず、水栓本体部９０に近い側から温調操作体１１１、流調操作体１１２の順に回動操作体が配設されている。流調操作体１１２は、プッシュ式の操作体（止水操作体１１４）と兼用としてもよい。この場合、流調操作体１１２は、プッシュ操作によって温調操作体１１１側へ移動するが、完全には温調操作体の中に入り込まず、回転できるようにするとよい。図１４（ｂ）では、操作装置１１０は、水栓本体部９０に近い側から温調操作体１１１、流調操作体１１２、流路切替操作体１１３の順に回動操作体が配設され、最も外側にプッシュ式の操作体（止水操作体１１４）が配設されている。この場合、プッシュ式の操作体（止水操作体１１４）の操作状態に拠らず、他の３つの回動操作体の回動操作が可能であるようにしておくとよい。図１４（ａ）および図１４（ｂ）に示す回動操作体の並びによって水栓１２０の小型化等が可能な場合には有効である。
【００６２】
図１５（ａ）および図１５（ｂ）は、変形例に係る操作装置１１０の形状を説明するための模式図である。図１５（ａ）では、操作装置１１０における複数の回動操作体が水栓本体部９０から離れるにつれて外径寸法が小さくなるようにしてある。これにより、操作装置１１０は、水栓本体部９０に近い回動操作体に対しても握り易くなる。
【００６３】
図１５（ｂ）では、操作装置１１０における複数の回動操作体をほぼ同等の外径寸法となるようにしてある。これにより、操作装置１１０は、どの回動操作体に対しても同じ握り方となり、操作が単純で分かり易い。また、水栓本体部９０から最も離れた外側に位置する温調操作体１１１についても、他の回動操作体と同等の外径寸法を確保できるので、吐水温度の細かな操作がし易くなる。
【００６４】
次に、実施形態１および２並びに変形例に係る操作装置１１０および水栓１２０の特徴を説明する。
本発明の実施形態に係る操作装置１１０は、弁装置１００を有する水栓本体部９０の一箇所に配設され、複数の回動操作体を有して弁装置１００を操作する。複数の回動操作体は、吐水温度を調節するための温調操作体１１１を含む。温調操作体１１１は、水栓本体部９０から最も離れた外側に配設されている。これにより、操作装置１１０は、水栓本体部９０の一箇所において複数の回動操作体の操作が可能となり、吐水温度の細かな調節がし易く操作性が良い。
【００６５】
また、操作装置１１０は、吐水流量を調節するための流調操作体１１２、および吐水路を切り替えるための流路切替操作体１１３を含む。流調操作体１１２は、温調操作体１１１の水栓本体部９０の側に配設されており、流路切替操作体１１３は、流調操作体１１２の水栓本体部９０の側に配設されている。これにより、操作装置１１０は、吐水温度の調節に次いで、吐水流量の細かな調節がし易く操作性が良い。
【００６６】
また、操作装置１１０は、弁装置１００を有する水栓本体部９０の一箇所に配設され、複数の回動操作体を有して弁装置１００を操作する。複数の回動操作体は、吐水路を切り替えるための流路切替操作体１１３を含む。流路切替操作体１１３は、水栓本体部９０に最も近い内側に配設されている。これにより、操作装置１１０は、細かな調節を必要としない流路切替の操作を水栓本体部９０に最も近い位置で行うことができる。
【００６７】
また、操作装置１１０は、吐水または止水するためのプッシュ式の止水操作体１１４を有する。操作装置１１０は、止水操作体１１４の操作状態に拠らずに、複数の回動操作体が回動可能である。これにより、操作装置１１０は、不用意に触れる動作によって予期せぬ吐水が生じることを防ぐとともに、無理に各回動操作体を回動させて構成部品の破損が生じることを防ぐことができる。
【００６８】
水栓１２０は、上述の操作装置１１０と、操作装置１１０が配設された水栓本体部９０と、を備える。これにより、水栓１２０は、水栓本体部９０の一箇所において複数の回動操作体の操作が可能となり、吐水温度の細かな調節がし易く操作性が良い。
【００６９】
以上、本発明の実施形態をもとに説明した。これらの実施形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００７０】
１３  吐水路、  ９０  水栓本体部、  １００  弁装置、  １１０  操作装置、
１１１  温調操作体、  １１２  流調操作体、  １１３  流路切替操作体、
１１４  止水操作体、  １２０  水栓。
【図１】
2019173516.tif 000003
【図２】
2019173516.tif 000004
【図３】
2019173516.tif 000005
【図４】
2019173516.tif 000006
【図５】
2019173516.tif 000007
【図６】
2019173516.tif 000008
【図７】
2019173516.tif 000009
【図８】
2019173516.tif 000010
【図９】
2019173516.tif 000011
【図１０】
2019173516.tif 000012
【図１１】
2019173516.tif 000013
【図１２】
2019173516.tif 000014
【図１３】
2019173516.tif 000015
【図１４】
2019173516.tif 000016
【図１５】
2019173516.tif 000017